(57)【要約】  【課題】従来の自動販売機のカードホルダーにおいては、クリーニングカードが壁面に隙間なく保持されていたので、指の入る隙がなく、取出しや収納がやりづらいという課題があった。  【解決手段】本発明の自動販売機のカードホルダーは、クリーニングカード１２を差し込んで収納するカードケース部１１と、カードケース部１１を壁面と一定の隙を設けて保持するカードケース保持部１４とからなるものであり、クリーニングカード１２が壁面と一定の隙があり、取出しや収納の際の指が入る隙があり、取出しや収納がしやすく、使い勝手を向上することができる。【選択図】図１
2010026671.tif 000002
【特許請求の範囲】
【請求項１】
保守作業としてクリーニングカードをカードリーダライタのカード挿入口に挿入して内部機構のクリーニングを行なうカードリーダライタを装備した自動販売機において、クリーニングカードを常備保管するカードホルダーが、クリーニングカードを差し込んで収納するカードケース部と、前記カードケース部を壁面と一定の隙を設けて保持するカードケース保持部とからなることを特徴とする自動販売機のカードホルダー。
【請求項２】
カードケース部を壁面と一定の隙を設けて保持するカードケース保持部を弾性体で構成したことを特徴とする請求項１に記載の自動販売機のカードホルダー。
【発明の詳細な説明】
【技術分野】
【０００１】
本発明は、自動販売機などに搭載して商品購入の際に使用するプリペイドカードやＩＤカード、ポイントカードの処理を行なうカードリーダライタに関するものである。
【背景技術】
【０００２】
近年、カードシステムの普及からプリペイドカードやＩＣカード、ポイントカードなどのカード使用による商品販売にも対応できるカードリーダライタが搭載された自動販売機が実用化されている。このカードリーダライタは、カードの繰り返し利用に伴ってカードの表面に付着している汚れや異物（油脂成分、粉塵など）が内部のカード搬送ローラ、あるいはカード読み取り部の磁気ヘッドに転移すると、カード搬送機能、カードデータの読み書き機能が劣化するおそれがある。そこで、カードリーダライタのメンテナンス作業として、クリーニングカードを用意しカードリーダライタの挿入口から差し込んで内部機構の搬送ローラ、磁気ヘッドなどに付着している汚れをクリーニングするようにしている（例えば、特許文献１参照）。
【０００３】
図３は従来の自動販売機の正面図、図４は同従来の自動販売機の外扉の裏面斜視図、図５は同従来の自動販売機のカードホルダーの側面図、図６は同従来のカードリーダライタの側面図である。
【０００４】
以下、図３から図６を参照しながら、従来の自動販売機のカードホルダーについて説明する。
【０００５】
自動販売機の本体１の前部に外扉２が取付けられ、外扉２の前面には、商品見本を陳列する電照室３、商品取出口４、販売操作部として、コイン投入口５、金額表示器６、紙幣挿入口７、カード挿入口８が設けられている。外扉２の裏面には、硬貨識別装置９、ビルバリデータ（紙幣識別装置９）と組み合わせて一体化したカードリーダライタ１０を装備し、コイン、紙幣のほかに、カードによる販売やポイントカードによるポイント付与等も行なわれる。カードリーダライタ１０背面には、カードケース１１、さらに、カードケース１１内にはクリーニングカード１２が収納されている。
【０００６】
以上のように構成された従来の自動販売機のカードホルダーについてその動作を説明する。
【０００７】
自動販売機に搭載されているカードリーダライタ１０は、定期的にクリーニングカード１２によってクリーニングする必要があるが、自動販売機の商品充填や売上げ回収に巡回しているルートマンが巡回した際、自動販売機内に備えられているクリーニングカード１２を用いてクリーニングする。具体的には、ルートマンがカードケース１１に収納されているクリーニングカード１２を取出し、カード挿入口８に挿入することにより、クリーニングカード１２がカードリーダライタ１０内部を搬送され、搬送ローラ、磁気ヘッドなどに付着している汚れをクリーニングする。また、カードリーダライタ１０において、カード詰り等の故障が発生した場合やクリーニングカードを使っても取りきれない汚れが発生した場合、カードリーダライタ１０の背面カバー１３を開けることにより内部のカード詰りを取り除いたり、手でのクリーニングができるようになっている。
【特許文献１】特開２００５−６２９４９号公報
【発明の開示】
【発明が解決しようとする課題】
【０００８】
しかしながら、前記従来の構成では、カードケース１１がカードリーダライタ１０に密着している為、指をクリーニングカード１２とカードリーダライタ１０の隙に入れづらく、取出しにくいという問題があった。また、カードケース１１がカードリーダライタ１０の背面に取り付けられている為、カード詰り等でカードリーダライタ１０の背面カバー１３を開けて作業を行なおうとした際、背面カバーを開けるためのラッチ部や指をかける部分にクリーニングカード１２があり非常に邪魔で開けしづらいという問題もあった。さらに、背面カバー１３を開けた際、クリーニングカード１２が脱落してしまい、クリーニングカード１２が地面等に落ち汚れてしまうという恐れもあった。
【０００９】
この発明はクリーニングカード１２の取出しや収納を容易にし、カードリーダライタ１０の背面カバー１３の開閉を容易にすることを目的とする。
【課題を解決するための手段】
【００１０】
上記従来の課題を解決するために、本発明の自動販売機のカードホルダーは、クリーニングカードを常備保管するカードホルダーが、クリーニングカードを差し込んで収納するカードケース部と、前記カードケース部を壁面と一定の隙を設けて保持するカードケース保持部とからなるので、クリーニングカードが壁面と一定の隙があり、取出しや収納の際の指が入る隙があり、取出しや収納がしやすくなる。
【発明の効果】
【００１１】
本発明の自動販売機のカードホルダーは、クリーニングカードのカードケースがカードケース保持部により壁面と一定の隙を設けていることから、収納しているクリーニングカードと壁面との間に隙があり、その隙に指を差し入れることができる為、取出しや収納がしやすく、使い勝手を向上することができる。
【発明を実施するための最良の形態】
【００１２】
請求項１に記載の発明は、保守作業としてクリーニングカードをカードリーダライタのカード挿入口に挿入して内部機構のクリーニングを行なうカードリーダライタを装備した自動販売機において、クリーニングカードを常備保管するカードホルダーが、クリーニングカードを差し込んで収納するカードケース部と、前記カードケース部を壁面と一定の隙を設けて保持するカードケース保持部とからなるものであり、クリーニングカードが壁面と一定の隙があり、取出しや収納の際の指が入る隙があり、取出しや収納がしやすく、使い勝手を向上することができる。
【００１３】
請求項２に記載の発明は、請求項１に記載の発明において、カードケース部を壁面と一定の隙を設けて保持するカードケース保持部を弾性体で構成したものであり、段差のある面にも張り付けることができ、設置場所の自由度を高めることができる。
【００１４】
以下、本発明による自動販売機のカードホルダーの実施の形態について、図面を参照しながら説明する。なお、従来と同一構成については同一符号を付してその詳細な説明を省略する。なお、本実施の形態によって本発明が限定されるものではない。
【００１５】
（実施の形態１）
図１は、本発明の実施の形態１における自動販売機のカードホルダーの詳細図、図２は同実施の形態の自動販売機の外扉の裏面斜視図である。
【００１６】
従来技術と同様に外扉２の裏面には、硬貨識別装置９、カードリーダライタ１０が装備されている。カードリーダライタ１０の横の空いたスペースで外扉２の裏面にはカードケース保持部１４とカードケース１１とからなるカードホルダーが設置されている。カードケース１１は、樹脂成形品などで作られたポケット形状の小型容器で、クリーニングカード１２より高さ方向にてやや小さめの大きさである。カードケース保持部１４は、弾性体であるスポンジ状の発泡体であり、カードケース部１１と同様にクリーニングカード１２より高さ方向にてやや小さめでありカードケース部１１と接着されている。また、カードケース保持部１４のカードケース部１１と反対の面には、両面接着テープ１５が張り付けられており、この両面接着テープ１５にて、外扉２の裏面に張り付けられている。カードケース部１１には、クリーニングカード１２が収納されているが、カードケース部１１は、クリーニングカード１２よりやや小さい為、クリーニングカード１２の先端がカードケース部１１より出ている。
【００１７】
以上のように構成された本発明の自動販売機のカードホルダーにおいてその動作について説明する。
【００１８】
ルートマンが巡回の際、カードリーダライタ１０のクリーニングを行う為、カードケース部１１よりクリーニングカード１２を取出し、カード挿入口８にクリーニングカード１２を挿入し、クリーニングを行なう。クリーニング終了後は、クリーニングカード１２をカードケース部１１に収納する。カードケース部１１がカードケース保持部１４により壁面から指が入る程度の一定の隙をあけて保持されているので、クリーニングカード１２と壁面の間に指の入る隙があり、指が壁面に当ることが無くクリーニングカード１２の取出しや収納ができる。また、カード詰り等の故障が発生しカードリーダライタ１０の背面カバー１３を開閉する場合においても、カードケース部１１が背面カバー１３に無いので、背面カバーを開けるためのラッチ部や指をかける部分に容易に指を掛けることができ、作業しやすく、さらに、背面カバー１３にクリーニングカード１２が装着されていないので、背面カバー１３の開閉の際に、誤ってクリーニングカード１２を落としてしまうこともない。
【００１９】
また、クリーニングカード１２を取出そうとして手を伸ばした際、誤ってカードケース部１１に手が当ったとしても、カードケース保持部１４が弾性体でできている為、その衝撃を緩和吸収することができる。
【００２０】
さらに、本実施の形態では、カードケース保持部１４は、カードリーダライタ１０の横に取り付けられているが、様々な自動販売機の形態がある中で、カードケース保持部１４には両面接着テープ１５が設けられているので、カードケース保持部１４を取り付ける場所を任意に求めることできる。その際、段差がある面に張り付ける場合においても、カードケース保持部１４が弾性体でできている為に、段差をまたいでも張り付けることができ、張り付け可能な範囲を広げることができる。
【産業上の利用可能性】
【００２１】
以上のように、本発明にかかる自動販売機のカードホルダーは、自動販売機に装備するカードを保管するためのカードホルダーに関するものであり、カードの取出しや収納を容易にするものであるので、自動販売機に限らず、カードを扱う様々な産業機器に適応できる。
【図面の簡単な説明】
【００２２】
【図１】（ａ）本発明の実施の形態１の自動販売機のカードホルダーの詳細図（ｂ）本発明の実施の形態１の自動販売機のカードホルダーの詳細図
【図２】本発明の実施の形態１の自動販売機の外扉の裏面斜視図
【図３】従来の自動販売機の正面図
【図４】従来の自動販売機の外扉の裏面斜視図
【図５】従来の自動販売機のカードホルダーの側面図
【図６】従来のカードリーダライタの側面図
【符号の説明】
【００２３】
１０  カードリーダライタ
１１  カードケース部
１２  クリーニングカード
１４  カードケース保持部
【図１】
2010026671.tif 000003
【図２】
2010026671.tif 000004
【図３】
2010026671.tif 000005
【図４】
2010026671.tif 000006
【図５】
2010026671.tif 000007
【図６】
2010026671.tif 000008